(57)【要約】  通信を実行する方法は、第２のシステム／オペレータに割当てられたスペクトルを用いて、所定の閾値より小さいかまたは実質的に等しい、該第２のシステム／オペレータの宇宙ベースのコンポーネントにおける総計干渉レベルで、情報を送受信する第１のシステム／オペレータの少なくとも１つの宇宙ベースのおよび／または地上のコンポーネントによって提供することができる。関連する他の方法、システム及び無線端末も開示されている。
2008533815.tif 000002
【特許請求の範囲】
【請求項１】
通信を実行する方法であって、
第２のシステムおよび／またはオペレータに割当てられたスペクトルを用いて、所定の閾値よりも小さいかまたは実質的に等しい、前記第２のシステムおよび／またはオペレータの宇宙ベースのコンポーネントにおける総計干渉レベルで、情報を送信および／または受信する第１のシステムおよび／またはオペレータの少なくとも１つの宇宙ベースのおよび／または地上のコンポーネントを備える方法。
【請求項２】
送信および／または受信することが、
前記第１のシステムおよび／またはオペレータによる通信に用いられる前記第２のシステムおよび／またはオペレータに割当てられたスペクトルの一部を選択することと、
前記第２のシステムおよび／またはオペレータに割当てられたスペクトルの一部を用いて、前記第１のシステムおよび／またはオペレータによって情報を送信および／または受信することと、
を備える、請求項１に記載の方法。
【請求項３】
前記所定の閾値が、６％ΔＴ／Ｔより小さいかまたは実質的に等しい、請求項１に記載の方法。
【請求項４】
前記所定の閾値は、国際電気通信連合によって指定された干渉閾値である、請求項１に記載の方法。
【請求項５】
前記第２のシステムおよび／またはオペレータに割当てられたスペクトルの一部を用いて、前記第１のシステムおよび／またはオペレータによる情報の送信および／または受信に関連する少なくとも１つのパラメータを調整して、前記第２のシステムおよび／またはオペレータの宇宙ベースのコンポーネントにおける干渉レベルを、前記所定の閾値よりも小さいかまたは実質的に等しくなるように制御することをさらに備える、請求項２に記載の方法。
【請求項６】
前記少なくとも１つのパラメータを調整することは、ユーザの数を制限すること、通信のためのデータレートを割当てることおよび／または通信のためのボコーダレートを割当てることを備える、請求項５に記載の方法。
【請求項７】
前記通信のためのデータレートを割当てることが、ページング通信および／または低データレート通信を割当てることを備える、請求項６に記載の方法。
【請求項８】
前記第２のシステムおよび／またはオペレータに割当てられたスペクトルの一部を用いて情報を送信および／または受信する、前記第１のシステムおよび／またはオペレータの少なくとも１つの地上コンポーネントをさらに備える、請求項７に記載の方法。
【請求項９】
前記送信および／または受信することは、前記第２のシステムおよび／またはオペレータに割当てられたスペクトルの一部と、前記第１のシステムおよび／またはオペレータに割当てられたスペクトルの一部とを含む、前記第１のシステムおよび／またはオペレータによる通信のためのスペクトルの帯域を備える、請求項８に記載の方法。
【請求項１０】
前記送信および／または受信することは、前記ページング、前記通信のためのデータレート、前記通信のためのボコーダレートおよび／または前記低データレート通信に関連するデータレートと比較して、より大きいデータレートを備える、請求項８に記載の方法。
【請求項１１】
前記送信および／または受信することは、
前記第２のシステムおよび／またはオペレータに割当てられたスペクトルを用いて、前記第１のシステムおよび／またはオペレータの少なくとも１つの宇宙ベースのおよび／または地上のコンポーネントと通信して、総計帯域内干渉レベルを生成する複数の第１の無線端末を構成することと、
前記第１のシステムおよび／またはオペレータに割当てられたスペクトルを用いて、前記少なくとも１つの宇宙ベースのおよび／または地上のコンポーネントと通信して、総計帯域外干渉レベルを生成する複数の第２の無線端末を構成することと、
を備え、前記帯域内干渉レベルと帯域外干渉レベルの組合せは、前記所定の閾値よりも小さいかまたは実質的に等しい、請求項１に記載の方法。
【請求項１２】
通信を実行する方法であって、
第２のシステムおよび／またはオペレータに割当てられたスペクトルを用いて情報を送信および／または受信するように、第１のシステムおよび／またはオペレータの宇宙ベースのコンポーネントを構成することを備える方法。
【請求項１３】
通信を実行する方法であって、
第２のシステムおよび／またはオペレータに割当てられたスペクトルを用いて情報を送信および／または受信して、前記第２のシステムおよび／またはオペレータの宇宙ベースのコンポーネントにおいて、帯域内宇宙ベースの干渉成分を生成する、第１のシステムおよび／またはオペレータの宇宙ベースのコンポーネント、および／または、
前記第２のシステムおよび／またはオペレータに割当てられたスペクトルを用いて情報を送信および／または受信して、前記第２のシステムおよび／またはオペレータの前記宇宙ベースのコンポーネントにおいて、帯域内地上干渉成分を生成する、前記第１のシステムおよび／またはオペレータの少なくとも１つの地上コンポーネント
を備える方法。
【請求項１４】
前記第２のシステムおよび／またはオペレータの前記宇宙ベースのコンポーネントにおける前記帯域内宇宙ベースの干渉成分及び帯域内地上干渉成分は、６％ΔＴ／Ｔより小さいかまたは実質的に等しい干渉レベルを生成する、請求項１３に記載の方法。
【請求項１５】
前記情報を送信および／または受信する第１のシステムおよび／またはオペレータの宇宙ベースのコンポーネントは、比較的少数のユーザと通信すること、比較的低いデータレート通信を用いて通信することおよび／または比較的低レートのボコーダ通信を用いて通信することを備える、請求項１３に記載の方法。
【請求項１６】
通信を実行する方法であって、
第２のシステムおよび／またはオペレータに割当てられたスペクトルを用いて情報を送信および／または受信して、第１のシステムおよび／またはオペレータによる情報の送信および／または受信のためのスペクトルの連続的帯域を可能にする、前記第１のシステムおよび／またはオペレータの宇宙ベースのコンポーネントおよび／または少なくとも１つの地上コンポーネントを備える方法。
【請求項１７】
第２のシステムおよび／またはオペレータに割当てられたスペクトルを用いて、第１のシステムおよび／またはオペレータの宇宙ベースのコンポーネントへ情報を送信し、および／または前記宇宙ベースのコンポーネントから情報を受信し、および／または前記第１のシステムおよび／またはオペレータの少なくとも１つの補助地上コンポーネントへ情報を送信し、および／または前記補助地上コンポーネントから情報を受信するように構成されたトランスミッタおよび／またはレシーバ回路を備える無線端末。
【請求項１８】
前記トランスミッタおよび／またはレシーバ回路へデータを与え、および／または前記回路からデータを与えられるように構成されたベースバンドプロセッサ回路をさらに備える、請求項１７に記載の無線端末。
【請求項１９】
総計干渉コントローラが、前記無線端末に関連する少なくとも１つのパラメータを調整して、総計干渉を、所定の閾値よりも小さいかまたは実質的に等しくなるように維持するように構成される、請求項１８に記載の無線端末。
【請求項２０】
前記総計干渉コントローラは、無線端末の数を制限し、前記第２のシステムおよび／またはオペレータに割当てられたスペクトルを用いて、データモードおよび／またはボコーダモードを前記無線端末に割当てるように構成される、請求項１９に記載の無線端末。
【請求項２１】
前記所定の閾値は、前記第２の衛星オペレータの宇宙ベースのコンポーネントにおいて、６％ΔＴ／Ｔより小さいかまたは実質的に等しい、請求項１９に記載の無線端末。
【請求項２２】
前記所定の閾値は、国際電気通信連合によって指定されたレベルを備える、請求項１９に記載の無線端末。
【請求項２３】
第１のシステムおよび／またはオペレータの補助的地上ネットワーク（ＡＴＮ）であって、
第２のシステムおよび／またはオペレータに割当てられたスペクトルを用いて、前記第１のシステムおよび／またはオペレータの宇宙ベースの通信および／または地上の通信を制御し、総計干渉レベルを、前記第２のシステムおよび／またはオペレータの宇宙ベースのコンポーネントにおいて、所定の閾値よりも小さいかまたは実質的に等しいレベルに維持する総計干渉コントローラを備える、ＡＴＮ。
【請求項２４】
前記総計干渉コントローラはさらに、前記第１のシステムおよび／またはオペレータによって用いられるように、前記第２のシステムおよび／またはオペレータに割当てられたスペクトルの少なくとも一部を選択するように構成され、前記第２のシステムおよび／またはオペレータに割当てられたスペクトルの少なくとも一部を用いて情報を送信および／または受信するように、前記第１のシステムおよび／またはオペレータの無線端末を構成する、請求項２３に記載のＡＴＮ。
【請求項２５】
前記所定の閾値は、前記第２のシステムおよび／またはオペレータの宇宙ベースのコンポーネントにおいて、６％ΔＴ／Ｔより小さいかまたは実質的に等しい、請求項２３に記載のＡＴＮ。
【請求項２６】
前記所定の閾値は、国際電気通信連合によって指定された干渉閾値である、請求項２３に記載のＡＴＮ。
【請求項２７】
前記総計干渉コントローラはさらに、少なくとも１つの無線端末に関連する少なくとも１つのパラメータを調整して、前記第２のシステムおよび／またはオペレータの宇宙ベースのコンポーネントにおける総計干渉を、前記所定の閾値より小さいかまたは実質的に等しく維持するように構成される、請求項２４に記載のＡＴＮ。
【請求項２８】
前記少なくとも１つのパラメータを調整することが、無線端末の数を制限すること、データモードを割当てることおよび／またはボコーダモードを割当てることを備える、請求項２７に記載のＡＴＮ。
【請求項２９】
前記第２のシステムおよび／またはオペレータに割当てられたスペクトルを用いて、前記第１のシステムおよび／またはオペレータの前記宇宙ベースのコンポーネントおよび／またはＡＴＮと通信して、総計帯域内干渉成分を生成するように複数の第１の無線端末を構成し、および／または前記第１のシステムおよび／またはオペレータに割当てられたスペクトルを用いて、前記宇宙ベースのコンポーネントおよび／または前記ＡＴＮと通信して、総計帯域外干渉成分を生成するように複数の第２の無線端末を構成するコントローラをさらに備え、前記第２のシステムおよび／またはオペレータの宇宙ベースのコンポーネントにおける、前記総計帯域内干渉成分と前記総計帯域外干渉成分の組合せが、前記所定の閾値より小さいかまたは実質的に等しい、請求項２３に記載のＡＴＮ。
【請求項３０】
別のシステムに割当てられた少なくともいくつかのスペクトルを用いて、無線で情報を送信および／または受信し、他のシステムにおける干渉のレベルを、所定の閾値より小さいかまたは実質的に等しいレベルに維持するように構成される地上システム。
【請求項３１】
第１のシステムおよび／またはオペレータによって第２のシステムおよび／またはオペレータのスペクトルを再利用する方法であって、
前記第１のシステムおよび／またはオペレータによる宇宙ベースの通信および／または地上の通信に対して、前記第２のシステムおよび／またはオペレータのスペクトルを、所定の閾値よりも小さいかまたは実質的に等しい、前記第２のシステムおよび／またはオペレータにおける総計干渉レベルで再利用することを備える方法。
【請求項３２】
別のシステムに割当てられた少なくともいくつかのスペクトルを用いて、情報を送信および／または受信し、かつ前記他のシステムにおける干渉のレベルを、所定の閾値より小さいかまたは実質的に等しいレベルに維持するように構成されたシステムの宇宙ベースのコンポーネント。
【請求項３３】
第２の無線システムに割当てられたスペクトルを用いて、第１の無線システムの要素へ情報を送信し、および／または前記要素から情報を受信し、および前記第２の無線システムにおける干渉のレベルを、所定の閾値より小さいかまたは実質的に等しいレベルに維持するように構成された無線端末。
【請求項３４】
第２の無線システムに割当てられたスペクトルを用いて情報を送信および／または受信し、前記第２の無線システムにおける干渉のレベルを、所定の閾値より小さいかまたは実質的に等しいレベルに維持するように構成された第１の無線システム。
【請求項３５】
通信を実行する方法であって、
第２のシステムおよび／またはオペレータに割当てられたスペクトルを用いて情報を送信および／または受信し、前記第２のシステムおよび／またはオペレータのコンポーネントにおける干渉のレベルを、所定の閾値より小さいかまたは実質的に等しいレベルに維持する、第１のシステムおよび／またはオペレータの少なくとも１つのコンポーネントを備える、方法。
【発明の詳細な説明】
【技術分野】
【０００１】
［優先権の主張］
本出願は、２００５年３月８日に出願された「Ｒｅｕｓｉｎｇ  Ｓｐｅｃｔｒｕｍ  ｏｆ  Ａｎｏｔｈｅｒ  Ｓａｔｅｌｌｉｔｅ  Ｏｐｅｒａｔｏｒ  ｆｏｒ  ＭＳＳ  ａｎｄ  ＡＴＣ  Ｗｉｔｈｏｕｔ  Ｅｘｃｅｅｄｉｎｇ  ａ  Ｃｏｏｒｄｉｎａｔｉｏｎ  Ｔｈｒｅｓｈｏｌｄ」というタイトルの米国仮特許出願第６０／６５９，４６３号に対する優先権を主張し、該仮特許は本明細書に参照によって組み込まれる。
【０００２】
［発明の分野］
本発明は、無線通信システム及び方法に関し、より具体的には、衛星及び地上通信システム及び方法に関する。
【背景技術】
【０００３】
衛星通信システム及び方法は、無線通信に幅広く用いられている。衛星通信システム及び方法は、一般に、複数の衛星無線端末と無線通信するように構成されている、１つ以上の衛星等の少なくとも１つの宇宙ベースのコンポーネントを用いる。
【０００４】
衛星無線端末通信システムまたは方法は、該システムが扱う全エリアをカバーする単一のアンテナパターン（ビームまたはセル）を利用することができる。別法として、または上記と組み合わせて、セルラー衛星無線端末通信システム及び方法においては、多数のアンテナパターン（ビームまたはセル）が生成され、その各々は、サービス領域全体における実質的に個別の地理的領域を扱って、衛星の電波到達範囲全体を集合的に扱うことができる。従って、従来の地上セルラー／ＰＣＳ無線端末システム及び方法に用いられるのと同様のセルラーアーキテクチャを、セルラー衛星ベースのシステム及び方法で実施することができる。該衛星は、典型的には、無線端末通信信号を、ダウンリンクまたはフォワードリンクを通じて該衛星から該無線端末へ、およびアップリンクまたはリターンリンクを通じて該無線端末から該衛星へ伝送する状態で、双方向通信経路を通じて該無線端末と通信する。
【０００５】
セルラー衛星無線端末システム及び方法の全体のデザイン及び動作は、当業者には周知であり、本明細書においてさらに説明する必要はない。また、「無線端末」という用語は、本明細書で用いる場合、マルチラインディスプレイを有するまたは有しないセルラーおよび／または衛星無線端末、無線端末を、データ処理、ファクシミリおよび／またはデータ通信機能と組み合わせることができるパーソナル移動通信システム（Ｐｅｒｓｏｎａｌ  Ｃｏｍｍｕｎｉｃａｔｉｏｎｓ  Ｓｙｓｔｅｍ；ＰＣＳ）端末、無線トランシーバおよび／またはページャ、インターネット／インターネットアクセス、ウェブブラウザ、オーガナイザ、カレンダーおよび／またはＧＰＳ（ｇｌｏｂａｌ  ｐｏｓｉｔｉｏｎｉｎｇ  ｓｙｓｔｅｍ）レシーバを含むことができる携帯情報端末（Ｐｅｒｓｏｎａｌ  Ｄｉｇｉｔａｌ  Ａｓｓｉｓｔａｎｔｓ；ＰＤＡ）、および／または無線トランシーバを含む従来のラップトップおよび／またはパームトップコンピュータまたは他の電気器具を含む。また、「無線端末」という用語は、本明細書で用いる場合、時間依存性または固定された地理座標を有することができる、および（空、海または陸の）乗物に設置された、または、地上および／または宇宙空間の他の場所で、局所的に作動するようにおよび／または分散的方法で配置された及び構成された携帯、可搬形とすることができる、他の放射ユーザデバイス／機器／ソースも含む。また、無線端末は、「無線電話」、「端末」または「無線ユーザ装置」と呼ぶこともできる。「宇宙ベースの」コンポーネントという用語は、本明細書で用いる場合、地上の任意の高度の軌道を有する１つ以上の衛星および／または１つ以上の他の物体／プラットフォーム（例えば、飛行機、バルーン、無人の乗物、宇宙船、ミサイル等）を含む。さらに、「送信／受信データ」という用語は、本明細書で用いる場合、同じ意味を有するものとし、「送信／受信情報」と同じ意味で用いることができる。
【０００６】
地上のネットワークは、セルラー衛星無線端末システムによる使用に対して許可されているおよび／または該システムによって使用される周波数の少なくとも一部を地上で使用／再利用することにより、該セルラー衛星無線端末システムの使用可能性、効率および／または経済的継続性を高めることができる。具体的には、衛星信号は、例えば、高層建築物によって遮断される可能性があり、および／またはビルを突き抜けない可能性があるため、セルラー衛星無線端末システムは、人口密集地域で確実にサービスを提供することが困難になる可能性があることが分かっている。その結果として、衛星スペクトルは、そのような地域において、十分に活用できないまたは利用できない可能性がある。該衛星システムの周波数の少なくとも一部の地上での使用／再利用は、この潜在的な問題を軽減またはなくすことができる。
【０００７】
地上での周波数の再利用は、衛星のみのシステムと比べて緻密になる可能性があるため、衛星帯域の少なくとも一部を地上で使用／再利用するように構成された地上ベースの通信と衛星ベースの通信とからなるハイブリッドシステムの潜在的な可能性は、相当する衛星のみのシステムよりも高くなり得る。実際には、潜在的な可能性は、主に必要とされ得る場所で、すなわち、衛星のみのシステムの信号が信頼できない可能性がある人口密集都市／工業／商業地域において高まり得る。その結果として、衛星帯域の周波数の少なくとも一部を地上で使用／再利用するように構成されているハイブリッド（衛星／地上セルラー）システムは、より大きな加入者ベースにより効率的かつ確実にサービスを提供することができるため、より経済的に継続可能になり得る。
【０００８】
衛星帯域の周波数の地上での使用の１つの実施例は、「Ｓａｔｅｌｌｉｔｅ  Ｔｅｌｅｃｏｍｍｕｎｉｃａｔｉｏｎｓ  Ｒｅｐｅａｔｅｒｓ  ａｎｄ  Ｒｅｔｒａｎｓｍｉｓｓｉｏｎ  Ｍｅｔｈｏｄｓ」というタイトルの、本発明者Ｋａｒａｂｉｎｉｓに対する米国特許第５，９３７，３３２号に記載されており、その開示は、本明細書に完全に記載されているかのように、その全体が本明細書に参照によって組み込まれる。該明細書に記載されているように、衛星／無線端末からのダウンリンク／アップリンク信号を受信し、増幅し、および局所的に再送信する衛星通信リピータが設けられ、それによって、該衛星通信リピータ付近における有効なダウンリンク／アップリンクマージンを増加させ、ビルディング、群葉、輸送用車両、およびリンクマージンを低下させる可能性がある他の物体に対するアップリンク及びダウンリンク信号の貫通の増加を可能にする。携帯及び非携帯リピータの両方が設けられる。米国特許第５，９３７，３３２号の要約書を参照。
【０００９】
衛星周波数の少なくとも一部を地上で使用／再利用し、地上通信及び衛星通信の両方に対して同じエアインタフェースを実質的に用いることによる地上通信機能を有する衛星無線端末システムまたは方法のための衛星無線端末は、他の代替物よりもより費用効果があるおよび／または魅力的である可能性がある。公知のスラーヤ、イリジウムおよび／またはグローバルスターのデュアルモード衛星／地上無線端末等の従来のデュアルバンド／デュアルモード無線端末代替手段は、（衛星及び地上通信に用いられる、異なる周波数帯域および／またはエアインタフェースプロトコルの結果として）いくつかのコンポーネントが重複しており、そのことが該無線端末のコスト、サイズおよび／または重量の増加につながる可能性がある。「Ｓａｔｅｌｌｉｔｅ  Ｓｙｓｔｅｍ  Ｕｔｉｌｉｚｉｎｇ  ａ  Ｐｌｕｒａｌｉｔｙ  ｏｆ  Ａｉｒ  Ｉｎｔｅｒｆａｃｅ  Ｓｔａｎｄａｒｄｓ  ａｎｄ  Ｍｅｔｈｏｄ  Ｅｍｐｌｏｙｉｎｇ  Ｓａｍｅ」というタイトルの、本発明者Ｋａｒａｂｉｎｉｓに対する米国特許第６，０５２，５６０号を参照。
【００１０】
本明細書に完全に記載されているかのように、その開示の全体が本明細書に参照によって組み込まれる「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ）」というタイトルの、本発明者Ｋａｒａｂｉｎｉｓに対する米国特許第６，６８４，０５７号は、同じ衛星セル内でも、干渉除去技術を用いて、補助地上ネットワークにより、衛星周波数を地上で再利用することができることを説明している。具体的には、米国特許第６，６８４，０５７号のいくつかの実施形態によるシステムは、衛星無線電話の周波数帯域を通じて、衛星の電波到達範囲内の第１の無線電話から無線通信を受信するように構成されている宇宙ベースのコンポーネントと、該衛星無線電話の周波数帯域を通じて、該衛星の電波到達範囲内の第２の無線電話から無線通信を受信するように構成されている補助地上ネットワークとを含む。該宇宙ベースのコンポーネントは、該衛星無線電話の周波数帯域を通じて、該衛星の電波到達範囲内の該第１の無線電話から受信される無線通信と共に、該衛星無線電話の周波数帯域を通じて、該衛星の電波到達範囲内の該第２の無線電話からの無線通信も干渉として受信する。干渉リデューサは、該宇宙ベースのコンポーネントと、該衛星無線電話の周波数帯域を通じて該衛星の電波到達範囲内の該第２の無線電話から該補助地上ネットワークによって受信される該無線通信を用いて、該衛星無線電話の周波数帯域を通じて該衛星の電波到達範囲内の該第１の無線電話から該宇宙ベースのコンポーネントによって受信される該無線通信からの干渉を低減するように構成されている該補助地上ネットワークとに対応している。
【００１１】
少なくとも１つの補助地上コンポーネント（Ａｎｃｉｌｌａｒｙ  Ｔｅｒｒｅｓｔｒｉａｌ  Ｃｏｍｐｏｎｅｎｔ；ＡＣＴ）を備える補助地上ネットワーク（Ａｎｃｉｌｌａｒｙ  Ｔｅｒｒｅｓｔｒｉａｌ  Ｎｅｔｗｏｒｋ；ＡＴＮ）によって、衛星周波数の地上での使用／再利用を採用することができる衛星無線端末通信システム及び方法は、全て本発明の譲受人に譲渡された「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」というタイトルの、Ｋａｒａｂｉｎｉｓに対する米国特許出願公開第２００３／００５４７６０号、「Ｓｐａｔｉａｌ  Ｇｕａｒｄｂａｎｄｓ  ｆｏｒ  Ｔｅｒｒｅｓｔｒｉａｌ  Ｒｅｕｓｅ  ｏｆ  ｓａｔｅｌｌｉｔｅ  Ｆｒｅｑｕｅｎｃｉｅｓ」というタイトルの、Ｋａｒａｂｉｎｉｓに対する米国特許出願公開第２００３／００５４７６１号、「Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」というタイトルの、Ｋａｒａｂｉｎｉｓ  ｅｔ．ａｌに対する米国特許出願公開第２００３／００５４８１４号、「Ａｄｄｉｔｉｏｎａｌ  Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」というタイトルの、Ｋａｒａｂｉｎｉｓ  ｅｔ．ａｌに対する米国特許出願公開第２００３／００７３４３６号、「Ｍｕｌｔｉ−Ｂａｎｄ／Ｍｕｌｔｉ−Ｍｏｄｅ  Ｓａｔｅｌｌｉｔｅ  Ｒａｄｉｏｔｅｌｅｐｈｏｎｅ  Ｃｏｍｍｕｎｉｃａｔｉｏｎｓ  Ｓｙｓｔｅｍｓ  ａｎｄ  Ｍｅｔｈｏｄｓ」というタイトルの、Ｋａｒａｂｉｎｉｓに対する米国特許出願公開第２００３／００５４７６２号、「Ｗｉｒｅｌｅｓｓ  Ｃｏｍｍｕｎｉｃａｔｉｏｎｓ  Ｓｙｓｔｅｍｓ  ａｎｄ  Ｍｅｔｈｏｄｓ  Ｕｓｉｎｇ  Ｓａｔｅｌｌｉｔｅ−Ｌｉｎｋｅｄ  Ｒｅｍｏｔｅ  Ｔｅｒｍｉｎａｌ  Ｉｎｔｅｒｆａｃｅ  Ｓｕｂｓｙｓｔｅｍｓ」というタイトルの、Ｋａｒａｂｉｎｉｓに対する米国特許出願公開第２００３／０１５３２６７号、「Ｓｙｓｔｅｍｓ  ａｎｄ  Ｍｅｔｈｏｄｓ  ｆｏｒ  Ｒｅｄｕｃｉｎｇ  Ｓａｔｅｌｌｉｔｅ  Ｆｅｅｄｅｒ  Ｌｉｎｋ  Ｂａｎｄｗｉｄｔｈ／Ｃａｒｒｉｅｒｓ  Ｉｎ  Ｃｅｌｌｕｌａｒ  Ｓａｔｅｌｌｉｔｅ  Ｓｙｓｔｅｍｓ」というタイトルの、Ｋａｒａｂｉｎｉｓに対する米国特許出願公開第２００３／０２２４７８５号、「Ｃｏｏｒｄｉｎａｔｅｄ  Ｓａｔｅｌｌｉｔｅ−Ｔｅｒｒｅｓｔｒｉａｌ  Ｆｒｅｑｕｅｎｃｙ  Ｒｅｕｓｅ」」というタイトルの、Ｋａｒａｂｉｎｉｓ  ｅｔ．ａｌに対する米国特許出願公開第２００２／００４１５７５号、「Ｉｎｔｅｇｒａｔｅｄ  ｏｒ  Ａｕｔｏｎｏｍｏｕｓ  Ｓｙｓｔｅｍ  ａｎｄ  Ｍｅｔｈｏｄ  ｏｆ  Ｓａｔｅｌｌｉｔｅ−Ｔｅｒｒｅｓｔｒｉａｌ  Ｆｒｅｑｕｅｎｃｙ  Ｒｅｕｓｅ  Ｕｓｉｎｇ  Ｓｉｇｎａｌ  Ａｔｔｅｎｕａｔｉｏｎ  ａｎｄ／ｏｒ  ���ｌｏｃｋａｇｅ，Ｄｙｎａｍｉｃ  Ａｓｓｉｇｎｍｅｎｔ  ｏｆ  Ｆｒｅｑｕｅｎｃｙ  ａｎｄ／ｏｒ  Ｈｙｓｔｅｒｅｓｉｓ」というタイトルの、Ｋａｒａｂｉｎｉｓ  ｅｔ．ａｌに対する米国特許出願公開第２００２／００９０９４２号、「Ｓｐａｃｅ−Ｂａｓｅｄ  Ｎｅｔｗｏｒｋ  Ａｒｃｈｉｔｅｃｔｕｒｅｓ  ｆｏｒ  Ｓａｔｅｌｌｉｔｅ  Ｒａｄｉｏｔｅｌｅｐｈｏｎｅ  Ｓｙｓｔｅｍｓ」というタイトルの、Ｋａｒａｂｉｎｉｓ  ｅｔ．ａｌに対する米国特許出願公開第２００３／００６８９７８号、「Ｆｉｌｔｅｒｓ  ｆｏｒ  Ｃｏｍｂｉｎｅｄ  Ｒａｄｉｏｔｅｌｅｐｈｏｎｅ／ＧＰＳ  Ｔｅｒｍｉｎａｌｓ」というタイトルの、Ｋａｒａｂｉｎｉｓに対する米国特許第６，７８５，５４３号、「Ｓｔａｇｇｅｒｅｄ  Ｓｅｃｔｏｒｉｚａｔｉｏｎ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」というタイトルの、Ｋａｒａｂｉｎｉｓに対する米国特許出願公開第２００３／０１５３３０８号、および「Ｍｅｔｈｏｄｓ  ａｎｄ  Ｓｙｓｔｅｍｓ  ｆｏｒ  Ｍｏｄｉｆｙｉｎｇ  Ｓａｔｅｌｌｉｔｅ  Ａｎｔｅｎｎａ  Ｃｅｌｌ  Ｐａｔｔｅｒｎｓ  Ｉｎ  Ｒｅｓｐｏｎｓｅ  ｔｏ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」というタイトルの、Ｋａｒａｂｉｎｉｓに対する米国特許出願公開第２００３／００５４８１５号にも記載されており、これらの明細書の全ての開示は、本明細書に完全に記載されているかのように、その全体が参照によって本明細書に組み込まれる。
【００１２】
いくつかの衛星無線端末通信システム及び方法は、無線端末との通信のために多数の帯域を用いる衛星を利用することができる。例えば、上記のＫａｒａｂｉｎｉｓに対する米国特許出願公開第２００３／００５４７６２号は、衛星セルに分割されている衛星の電波到達範囲内の無線端末と通信するように構成されている宇宙ベースのコンポーネントを含む衛星無線端末システム及び通信方法について記述している。該宇宙ベースのコンポーネントは、第１の周波数帯域および／または第１のエアインタフェースを通じて、第１の衛星セル内の第１の無線端末と通信するように、および第２の周波数帯域および／または第２のエアインタフェースを通じて、該第１のまたは第２の衛星セル内の第２の無線端末と通信するように構成されている。実質的に該第１の周波数帯域および／または実質的に該第１のエアインタフェースを通じて、該第１の無線端末と地上で通信するように、および実質的に該第２の周波数帯域および／または実質的に該第２のエアインタフェースを通じて、該第２の無線端末と地上で通信するように構成されている補助地上ネットワークも設けられている。米国特許出願公報第２００３／００５４７６２号の要約書を参照。
【発明の開示】
【発明が解決しようとする課題】
【００１３】
本発明による実施形態は、別の衛星オペレータに割当てられたスペクトルを用いて通信する方法、無線端末及び補助地上コンポーネントを提供することができる。これらの実施形態によれば、通信を実行する方法は、所定の閾値より小さいかまたは実質的に等しい、第２のシステム／オペレータの宇宙ベースのコンポーネントにおいて、総計の干渉レベルで該第２のシステム／オペレータに割当てられたスペクトルを用いて情報を送受信する第１のシステム／オペレータの少なくとも１つの宇宙ベースのおよび／または地上コンポーネントによって実現することができる。
【課題を解決するための手段】
【００１４】
本発明のいくつかの実施形態において、送受信は、第１のシステム／オペレータによって通信するのに用いられる第２のシステム／オペレータに割当てられたスペクトルの一部を選択することと、該第２のシステム／オペレータに割当てられたスペクトルの一部を用いて、該第１のシステム／オペレータによって情報を送受信することとを含む。本発明によるいくつかの実施形態において、上記所定の閾値は、６％ΔＴ／Ｔより小さいかまたは実質的に等しい。本発明によるいくつかの実施形態において、該所定の閾値は、国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）によって指定された干渉閾値である。
【００１５】
本発明によるいくつかの実施形態において、上記方法はさらに、該第２のシステム／オペレータの宇宙ベースのコンポーネントにおける干渉レベルを制御して、所定の閾値よりも小さいかまたは実質的に等しくなるように、該第２のシステム／オペレータに割当てられたスペクトルの一部を用いて、該第１のシステム／オペレータによる情報の送受信に関連する少なくとも１つのパラメータを調整することを含む。本発明によるいくつかの実施形態において、少なくとも１つのパラメータを調整することは、ユーザの数を制限することと、通信のためのデータレートを割当てることと、および／または通信のためのボコーダレートを割当てることとを含む。本発明によるいくつかの実施形態において、通信のためのデータレートを割当てることは、ページングおよび／または低データレート通信を割当てることを含む。本発明によるいくつかの実施形態において、上記方法はさらに、該第２のシステム／オペレータに割当てられたスペクトルの一部を用いて、情報を送受信する第１のシステム／オペレータの少なくとも１つの地上コンポーネントを含む。
【００１６】
本発明によるいくつかの実施形態において、送受信することは、該第２のシステム／オペレータに割当てられたスペクトルの一部と、該第１のシステム／オペレータに割当てられたスペクトルの一部とを含む、該第１のシステム／オペレータによる通信のためのスペクトルの帯域を含む。
【００１７】
本発明によるいくつかの実施形態において、送受信することは、ページング、通信のためのデータレート、通信のためのボコーダレートおよび／または低データレート通信に関連するデータレートと比較して大きいデータレートを含む。
【００１８】
本発明によるいくつかの実施形態において、送受信することは、第２のシステム／オペレータに割当てられたスペクトルを用いて、第１のシステム／オペレータの少なくとも１つの宇宙ベースのおよび／または地上のコンポーネントと通信する複数の第１の無線端末を構成して、総計の帯域内干渉レベルを生成すること、および／または該第１のシステム／オペレータに割当てられたスペクトルを用いて、少なくとも１つの宇宙ベースのおよび／または地上のコンポーネントと通信する複数の第２の無線端末を構成して、総計の帯域外干渉レベルを生成することを含み、該帯域内及び帯域外の干渉レベルの組合せは、所定の閾値よりも小さいかまたは実質的に等しい。
【００１９】
本発明によるいくつかの実施形態において、通信を実行する方法は、第２のシステム／オペレータに割当てられたスペクトルを用いて情報を送信および／または受信する第１のシステム／オペレータの宇宙ベースのコンポーネントを構成することを含む。本発明によるいくつかの実施形態において、通信を実行する方法は、第２のシステム／オペレータに割当てられたスペクトルを用いて情報を送受信し、該第２のシステム／オペレータの宇宙ベースのコンポーネントにおける帯域内宇宙ベースの干渉成分を生成する、第１のシステム／オペレータの宇宙ベースのコンポーネント、および／または該第２のシステム／オペレータに割当てられたスペクトルを用いて情報を送受信し、該第２のシステム／オペレータの該宇宙ベースのコンポーネントにおける帯域内地上干渉成分を生成する、該第１のシステム／オペレータの少なくとも１つの地上コンポーネントを含む。
【００２０】
本発明によるいくつかの実施形態において、該第２のシステム／オペレータの宇宙ベースのコンポーネントにおける該帯域内宇宙ベースの干渉成分及び帯域内地上干渉成分は、６％ΔＴ／Ｔより小さいかまたは実質的に等しい干渉レベルを生成する。
【００２１】
本発明によるいくつかの実施形態において、情報を送受信する第１のシステム／オペレータの宇宙ベースのコンポーネントは、比較的少数のユーザと通信すること、比較的低いデータレート通信を用いて通信すること、および／または比較的低いボコーダ通信を用いて通信することを含む。
【００２２】
本発明によるいくつかの実施形態において、通信を実行する方法は、第２のシステム／オペレータに割当てられたスペクトルを用いて情報を送受信し、第１のシステム／オペレータによって情報を送受信するためのスペクトルの連続的帯域を可能にする、該第１のシステム／オペレータの宇宙ベースのコンポーネントおよび／または少なくとも１つの地上コンポーネントを含む。
【００２３】
本発明によるいくつかの実施形態において、無線端末は、第２のシステム／オペレータに割当てられたスペクトルを用いて、宇宙ベースのコンポーネントへ情報を送信し、かつ該宇宙ベースのコンポーネントから情報を受信し、および／または第１のシステム／オペレータの少なくとも１つの補助地上コンポーネントへ情報を送信し、かつ該補助地上コンポーネントから情報を受信するように構成されたトランスミッタ／レシーバ回路を含む。
【００２４】
本発明によるいくつかの実施形態において、該無線端末はさらに、該トランスミッタ／レシーバ回路へデータを与え、該回路からデータを与えられるように構成されたベースバンドプロセッサ回路を含む。本発明によるいくつかの実施形態において、総計干渉コントローラは、該無線端末に関連する少なくとも１つのパラメータを調整して、総計干渉が所定の閾値よりも小さいかまたは実質的に等しくなるように維持するように構成されている。
【００２５】
本発明によるいくつかの実施形態において、該総計干渉コントローラは、無線端末の数を制限し、該第２のシステム／オペレータに割当てられたスペクトルを用いて、データモードおよび／またはボコーダモードを無線端末に割当てるように構成されている。
【００２６】
本発明によるいくつかの実施形態において、該所定の閾値は、第２の衛星オペレータの宇宙ベースのコンポーネントにおいて、６％ΔＴ／Ｔより小さいかまたは実質的に等しい。本発明によるいくつかの実施形態において、該所定の閾値は、国際電気通信連合によって指定されているレベルである。
【００２７】
本発明によるいくつかの実施形態において、第１のシステム／オペレータのＡＴＮは、第２のシステム／オペレータに割当てられたスペクトルを用いて、該第１のシステム／オペレータの宇宙ベースのおよび／または地上の通信を制御して、該第２のシステム／オペレータの宇宙ベースのコンポーネントにおける総計干渉レベルを、所定の閾値よりも小さいかまたは実質的に等しいレベルに維持する総計干渉コントローラを含む。
【００２８】
本発明によるいくつかの実施形態において、該総計干渉コントローラはさらに、第１のシステム／オペレータによって用いられるように、第２のシステム／オペレータに割当てられたスペクトルの少なくとも一部を選択するように構成されており、また、該第２のシステム／オペレータに割当てられたスペクトルの少なくとも一部を用いて、情報を送受信する該第１のシステム／オペレータの無線端末を構成する。
【００２９】
本発明によるいくつかの実施形態において、該所定の閾値は、該第２のシステム／オペレータの宇宙ベースのコンポーネントにおいて、６％ΔＴ／Ｔより小さいかまたは実質的に等しい。本発明によるいくつかの実施形態において、該所定の閾値は、国際電気通信連合によって指定された干渉閾値である。本発明によるいくつかの実施形態において、該総計干渉コントローラはさらに、少なくとも１つの無線端末に関連する少なくとも１つのパラメータを調整して、該第２のシステム／オペレータの該宇宙ベースのコンポーネントにおける総計干渉を、該所定の閾値よりも小さいかまたは実質的に等しく維持するように構成されている。
【００３０】
本発明によるいくつかの実施形態において、少なくとも１つのパラメータを調整することは、無線端末の数を制限すること、データモードを割当てることおよび／またはボコーダモードを割当てることを備える。本発明によるいくつかの実施形態において、上記ＡＴＮはさらに、第２のシステム／オペレータに割当てられたスペクトルを用いて、宇宙ベースのコンポーネントと、および／または第１のシステム／オペレータのＡＴＮと通信し、総計帯域内干渉成分を生成する複数の第１の無線端末を構成し、および／または該第１のシステム／オペレータに割当てられたスペクトルを用いて、該宇宙ベースのコンポーネントおよび／または該ＡＴＮと通信し、総計帯域外干渉成分を生成する複数の第２の無線端末を構成するコントローラを含み、該第２のシステム／オペレータの宇宙ベースのコンポーネントにおける該総計帯域内干渉成分と、該総計帯域外干渉成分の組合せは、該所定の閾値よりも小さいかまたは実質的に等しい。
【００３１】
本発明によるいくつかの実施形態において、地上システムは、別のシステムに割当てられた少なくともいくつかのスペクトルを用いて、無線で情報を送信および／または受信するように、および他のシステムにおける干渉のレベルを所定の閾値よりも小さいかまたは実質的に等しいレベルに維持するように構成されている。
【００３２】
本発明によるいくつかの実施形態において、第１のシステム／オペレータにより、第２のシステム／オペレータのスペクトルを再利用する方法は、該第１のシステム／オペレータによる宇宙ベースの通信および／または地上の通信に対して、所定の閾値よりも小さいかまたは実質的に等しい該第２のシステム／オペレータにおける総計干渉レベルで、該第２のシステム／オペレータのスペクトルを再利用することを含む。
【００３３】
本発明によるいくつかの実施形態において、システムの宇宙ベースのコンポーネントは、別のシステムに割当てられた少なくともいくつかのスペクトルを用いて情報を送信および／または受信するように、および他のシステムにおける干渉のレベルを、所定の閾値よりも小さいかまたは実質的に等しいレベルに維持するように構成されている。
【００３４】
本発明によるいくつかの実施形態において、無線端末は、第２の無線システムに割当てられたスペクトルを用いて、第１の無線システムの要素へ情報を送信し、および該無線システムの要素から情報を受信するように、および該第２の無線システムにおける干渉のレベルを、所定の閾値よりも小さいかまたは実質的に等しいレベルに維持するように構成されている。
【００３５】
本発明によるいくつかの実施形態において、第１の無線システムは、第２の無線システムに割当てられたスペクトルを用いて情報を送受信するように、および該第２の無線システムにおける干渉のレベルを、所定の閾値よりも小さいかまたは実質的に等しいレベルに維持するように構成されている。本発明によるいくつかの実施形態において、通信を実行する方法は、第２のシステム／オペレータに割当てられたスペクトルを用いて情報を送受信し、かつ該第２のシステム／オペレータのコンポーネントにおける干渉のレベルを、所定の閾値よりも小さいかまたは実質的に等しいレベルに維持する、第１のシステム／オペレータの少なくとも１つのコンポーネントを含む。
【発明を実施するための最良の形態】
【００３６】
次に、本発明の特定の例示的な実施形態を、添付図面を参照して説明する。しかし、本発明は、多くの異なる形態で具体化することができ、また、本明細書に記載された実施形態に限定されるものと解釈すべきではない。正確に言えば、これらの実施形態は、この開示が完璧かつ完全であり、当業者に本発明の範囲を完全に伝えるように記載されている。１つの要素が、別の要素に「接続され」または「結合され」ていると言及されている場合、該要素は、直接、他の要素に接続または結合することができるかまたは、介在要素を存在させることができることは理解される。さらに、「接続される」または「結合される」という用語は、本明細書で用いる場合、無線で接続または結合されていることを含む。
【００３７】
本明細書で用いる専門用語は、特定の実施形態を説明する目的のためのものであり、本発明を限定しようと意図するものではない。単数形の「ａ」、「ａｎ」及び「ｔｈｅ」は、本明細書で用いる場合、特にことわりのない限り、複数形も含むことが意図されている。さらに、「含む」、「備える」、「含んでいる」および／または「備えている」という用語は、この明細書で用いる場合、記述した特徴、整数、ステップ、操作、要素および／またはコンポーネントの存在を明確に述べているが、１つ以上の他の特徴、整数、ステップ、操作、要素、コンポーネントおよび／またはそれらからなる群の存在または追加を排除するものではないことは理解される。
【００３８】
別に定義されていない限り、本明細書で用いられる（専門用語及び科学用語を含む）全ての用語は、本発明が属する技術分野の当業者によって一般的に理解されているのと同じ意味を有する。さらに、一般に用いられている辞書で定義されているような用語は、従来技術及び本開示との関連での意味と一致する意味を有するものと解釈すべきであり、また、本明細書でそのように明確に定義されていない限り、理想的または過度に形式的な意味で解釈されないことは理解される。
【００３９】
第１の及び第２のという用語は、本明細書において、様々な要素を説明するのに用いられているが、それらの要素は、これらの用語によって限定すべきではないことは理解される。これらの用語は、一方の要素を他方の要素と区別するためのみに用いられている。すなわち、以下の第１の宇宙ベースのコンポーネントは、第２の宇宙ベースのコンポーネントと称することができ、また同様に、第２の宇宙ベースのコンポーネントは、本発明の教示から逸脱することなく、第１の宇宙ベースのコンポーネントと称することができる。本明細書で用いる場合、「および／または」という用語は、１つ以上の関連する列挙したアイテムからなるいくつか及び全ての組合せを含む。また、「／」は、「および／または」の簡単な表記法として使用される。
【００４０】
また、「実質的に同じ」帯域は、本明細書で用いる場合、扱う／比較される２つ以上の帯域が実質的に重なるが、例えば、帯域の端部および／または他の箇所に、重なっていないいくつかのエリアがある可能性があることを意味する。「実質的に同じ」エアインタフェースは、扱われ／比較される２つ以上のエアインタフェースが類似しているが、同一である必要はないことを意味する。例えば、地上の通信環境と衛星の通信環境との間に存在する可能性がある１つ以上の異なる特性／関係を説明するために、一方のエアインタフェース（すなわち、衛星エアインタフェース）には、他方（すなわち、地上のエアインタフェース）に対して、いくつかの違いがあってもよい。例えば、地上の通信に用いることができるボコーダレートと比べて、異なるボコーダレートを衛星通信に用いることができ（すなわち、地上通信の場合、音声は、約９〜１３ｋｂｐｓに圧縮（「ボコード」）することができ、一方、衛星通信の場合、例えば、約２〜４ｋｂｐｓのボコーダレートを用いることができる）、また、例えば、衛星通信の場合、地上通信に用いることができる符号化、インタリービング深度および／またはスペクトル拡散符号（すなわち、ウォルシュ符号、長符号および／または周波数ホッピング符号）と比べて、異なる順方向誤り訂正符号化、異なるインタリービング深度および／または異なるスペクトル拡散符号を用いることもできる。
【００４１】
本発明のいくつかの実施形態は、システム間の干渉の影響が、例えば、閾値雑音温度増加等の閾値レベルを超えないならば、別のシステム／オペレータによる使用のために用いられるおよび／または認可されたスペクトルを、所与のシステム／オペレータが再利用することができるという認識に起因する。従って、干渉が制御されるならば、例えば、所与のシステム／オペレータのスペクトルとインタリーブされる別のシステム／オペレータのスペクトルを、該所与のシステム／オペレータによる地上でのおよび／または宇宙ベースの通信に再利用することができる。該所与のシステム／オペレータにより、他のシステム／オペレータのスペクトルにおいて、比較的低いパワースペクトル密度の通信を実現することができる。本発明の様々な実施形態によるシステム、方法、端末、衛星および／または衛星ゲートウェイを提供することができる。
【００４２】
国際電気通信連合（ＩＴＵ）は、２つ以上のモバイル衛星システム（Ｍｏｂｉｌｅ  Ｓａｔｅｌｌｉｔｅ  Ｓｙｓｔｅｍｓ；ＭＳＳ）間の調整に対するトリガとして、６％の雑音温度増加（「ΔＴ／Ｔ」）の干渉レベルを規定した。すなわち、ＩＴＵの規定によれば、一方のシステムから他方のシステムへの相互のシステム間干渉が６％ΔＴ／Ｔを超えなければ、２つのＭＳＳは、それらの間の調整を要することなく、干渉する可能性がある。そのため、衛星オペレータは、そのような通信によって生成される干渉が、ＩＴＵによって指定された閾値を超えない限り、別の衛星オペレータに割当てられたスペクトルを用いて、調整を要することなく、宇宙および／または地上のコンポーネントと通信することができる。
【００４３】
図１は、通信のために第１及び第２の衛星オペレータに割当てられたおよび／または該衛星オペレータによって使用されるスペクトルの第１及び第２の部分１００、１０５の説明図である。該スペクトルの第１及び第２の部分１００、１０５は、図１において、実質的に連続して図示されているが、これは必ずしも必要なことではない。スペクトルの部分１００ａ、１００ｂ及び１００ｃは、該第１の衛星オペレータに割当てられおよび／または該第１の衛星オペレータによって使用され、また、スペクトルの部分１０５ａ及び１０５ｂは、該第２の衛星オペレータに割当てられおよび／または該第２の衛星オペレータによって使用される。本発明のいくつかの実施形態によれば、該第１の衛星オペレータは、低パワースペクトル密度を放射する無線端末の第１のファミリーを形成することができ、該無線端末の第１のファミリーの少なくとも１つの無線端末が、該低パワースペクトル密度と、該第２の衛星オペレータに割当てられおよび／または該第２の衛星オペレータによって使用される部分１０５ａ及び１０５ｂの範囲内の少なくとも１つの周波数とを用いて、該第１の衛星オペレータの宇宙ベースのコンポーネント（Ｓｐａｃｅ−Ｂａｓｅｄ  Ｃｏｍｐｏｎｅｎｔ；ＳＢＣ）と通信することを可能にすることができる。
【００４４】
この低パワースペクトル密度通信は、図１のスペクトルの部分１０５ａ及び１０５ｂに水平ラインで図示されている。干渉のレベルを示すこれらの水平ラインは、異なる周波数セグメントに対して異なっていてもよい。従って、周波数セグメント１０５ａに関連する該水平ラインは、本発明のいくつかの実施形態に従って、周波数セグメント１０５ｂの水平ラインと関連するレベルと異なるレベルにあってもよい。該第１の衛星オペレータのＳＢＣは、本発明のいくつかの実施形態に従って、少なくとも１つの静止衛星とすることができる少なくとも１つの衛星を備えることができる。
【００４５】
また、該第１の衛星オペレータは、（上記無線端末の第１のファミリーと比較して）より高いパワースペクトル密度を放射することができる無線端末の第２のファミリーを形成することもでき、該第１の衛星オペレータは、該第１の衛星オペレータに割当てられたおよび／または該第１の衛星オペレータによって使用される部分１００ａ〜１００ｃの範囲内の周波数を用いて該ＳＢＣと通信するように、該無線端末の第２のファミリーを構成することができる。該高いパワースペクトル密度の通信は、図１において、スペクトルの部分１００ａ〜１００ｃにおける水平ラインによって図示されている。
【００４６】
本発明による他の実施形態において、該第１の衛星オペレータの無線端末は、該無線端末が、該低パワースペクトル密度と、該第２の衛星オペレータに割当てられ、および／または該第２の衛星オペレータによって使用される部分１０５ａ、１０５ｂの範囲内の少なくとも１つの周波数とを用いて該第１の衛星オペレータのＳＢＣと通信する第１のモード、および該無線端末が、該第１の衛星オペレータに割当てられ、および／または該第１の衛星オペレータによって使用される部分１００ａ〜１００ｃの範囲内の周波数を用いて該ＳＢＣと通信する場合に、（該第１のモードと比較して）より高いパワースペクトル密度を放射することができる第２のモードで作動するように構成することができる。
【００４７】
該第２の衛星オペレータに割当てられたおよび／または該第２の衛星オペレータによって使用される部分１０５ａ、１０５ｂの範囲内の少なくとも１つの周波数を用いて作動する上記無線端末の第１のファミリーの少なくとも１つの無線端末（または、該第１のモードで作動する無線端末）は、本発明のいくつかの実施形態に従って、該第２の衛星オペレータのＳＢＣレシーバに、約（６−Ｘ）％ΔＴ／Ｔ未満の影響を及ぼすように構成することができる。従って、該第１の衛星オペレータは、少なくとも１つの補助地上コンポーネント（Ａｎｃｉｌｌａｒｙ  Ｔｅｒｒｅｓｔｒｉａｌ  Ｃｏｍｐｏｎｅｎｔ；ＡＴＣ）を備える補助地上ネットワーク（Ａｎｃｉｌｌａｒｙ  Ｔｅｒｒｅｓｔｒｉａｌ  Ｎｅｔｗｏｒｋ；ＡＴＮ）が、該ＡＴＮおよび／または該ＡＴＮの無線端末が、実質的にＸ％ΔＴ／Ｔ以上、該第２のオペレータのＳＢＣの衛星レシーバに干渉しない限りにおいて、該第２の衛星オペレータに割当てられ、および／または該第２の衛星オペレータによって使用される部分１０５ａ、１０５ｂの範囲内の少なくとも１つの周波数を通じて、ＡＴＮ無線端末と通信することを可能にすることができる。それにより、該第１の衛星オペレータによる、該第１の衛星オペレータの総計（または、トータル）ＳＢＣ及びＡＴＮ通信を、該第２の衛星オペレータのＳＢＣの衛星レシーバに、実質的に６％ΔＴ／Ｔ未満に干渉するように制御することができる。
【００４８】
図１において、該第２の衛星オペレータに割当てられたスペクトルの各部分を横切る水平ラインは、該第１の衛星オペレータのＳＢＣおよび／またはＡＴＮ通信による、該第２の衛星オペレータのＳＢＣにおけるパワースペクトル密度値を示す。そのため、該第１の衛星オペレータのＳＢＣおよび／またはＡＴＮ通信による総計放射パワースペクトル密度は、本発明のいくつかの実施形態に従って制御され、また、該第２の衛星オペレータのＳＢＣに対して６％ΔＴ／Ｔ以上（または、ほぼ以上）の干渉レベルを超えることができるようになっている。
【００４９】
従って、該第１の衛星オペレータは、該第２の衛星オペレータに割当てられ、および／または該第２の衛星オペレータによって使用され、かつ該第１の衛星オペレータに割当てられていない周波数の帯域のスペクトルの少なくとも一部を使用し（例えば、該一部を用いて通信し）、それによって、該第１の衛星オペレータによって使用することができる周波数の帯域のスペクトル接近度を向上させて、周波数の帯域を用いてＳＢＣおよび／またはＡＴＮ通信を実行することができる。「通信する」または「通信する」という用語は、本明細書で用いる場合、別のプロバイダのスペクトルを用いて積極的に／意図的に送信および／または受信することを含むことは理解される。このことは、該プロバイダのスペクトルを用いた通信により意図せずに生じる可能性のある偶発的な干渉（すなわち、帯域外放射（Ｏｕｔ−ｏｆ−Ｂａｎｄ  Ｅｍｉｓｓｉｏｎｓ；ＯＯＢＥ））とは対照的である。
【００５０】
いくつかの実施形態においては、ＭＳＳ周波数が宇宙ベースの通信に用いられない場合、該ＭＳＳ周波数は、地上で使用しないことが好ましく、または、ＦＣＣ規則によって命じられている。いくつかの実施形態において、低電力および／またはパワースペクトル密度における低データレート通信、例えば、１００ｂｐｓ通信を、該ＳＢＣと、上記第１のモードの無線端末の第１のファミリーおよび／または無線端末との間で実現する／割当てることができる。別の実施例においては、ページング通信を、該無線端末の第１のファミリーおよび／または該第１のモードに対して実現する／割当てることができる。他の実施形態においては、高、中および／または低データレート通信を、第２のシステム／オペレータに割当てられた周波数を用いて、第１のシステム／オペレータのＳＢＣと無線端末のファミリーとの間で、該第１のシステム／オペレータによって実行することができる。該第２のシステム／オペレータに割当てられ、および／または該第２のシステム／オペレータによって使用される周波数を用いた地上通信は、高、中および／または低データレートでも行うことができ、その結果、該第１のシステム／オペレータの地上通信と宇宙ベースの通信の組合せ放射パワースペクトル密度は、所定の閾値よりも小さいかまたは実質的に等しい（例えば、該第２のシステム／オペレータのＳＢＣ等の）該第２のシステム／オペレータの要素における干渉レベルを有するように制御することができる。いくつかの実施形態において、該所定の閾値は、ＩＴＵによって決められており、および／または６％ΔＴ／Ｔである。
【００５１】
図２は、本発明のいくつかの実施形態による、第２の衛星オペレータに割当てられたスペクトルを用いて、その宇宙ベースのコンポーネントおよび／または地上コンポーネントと通信する第１の衛星オペレータのセルラー衛星無線電話システムの概略図である。図２に示すように、セルラー衛星無線電話システム２００は、該第１の衛星オペレータによってサービスが提供される無線電話２２０ａ〜２２０ｃと通信する、衛星等の少なくとも１つの宇宙ベースのコンポーネント（ＳＢＣ）２１１を含む。セルラー衛星無線電話システム２０５は、第２の衛星オペレータによって作動される無線電話２２１と通信する、衛星等の少なくとも１つのＳＢＣ２１０を含む。
【００５２】
本発明によるいくつかの実施形態において、セルラー衛星無線電話システム２００、２０５は、異なる衛星オペレータによって作動される。また、セルラー衛星無線電話システム２００、２０５は、図１に示すように、それぞれ異なる周波数スペクトル１００ａ〜１００ｃ及び１０５ａ、１０５ｂでの動作に対して別々に認可されている。
【００５３】
本発明による衛星無線電話システム２００の実施形態は、アンテナ２６０ａと、回線交換サービスおよび／またはパケット交換サービスを提供するように構成することができる地上および／または他の無線電話ネットワークを含む他のネットワーク２６２に接続することができる電子システムとを含むことができる少なくとも１つのゲートウェイ２６０を含むことができる。ゲートウェイ２６０は、衛星フィーダリンク２１２を通じてＳＢＣ２１１と通信し、また、無線および／または有線通信リンク２４２を通じて、補助地上ネットワーク（ＡＴＮ）２３５と通信することができる。該ＡＴＮは、アンテナと、電子システム（図示せず）とを含んでもよい少なくとも１つの補助地上コンポーネント（ＡＴＣ）２４０を含むことができる。
【００５４】
セルラー衛星無線電話システム２０５について説明すると、ＳＢＣ２１０は、１つ以上のそれぞれの衛星無線電話フォワードリンク（ダウンリンク）周波数ｆD2を介して、無線電話２２１と通信することができる。ＳＢＣ２１０は、それぞれの衛星無線電話リターンリンク（アップリンク）周波数ｆU2を通じて、無線電話２２１からの通信も受信する。周波数ｆD2及びｆU2は、図１に示すように、該第２の衛星オペレータに割当てられているスペクトルの部分１０５ａ、１０５ｂに含まれている。セルラー衛星無線電話システム２０５は、図示されていない他のコンポーネントを含むことができる。
【００５５】
セルラー衛星無線電話システム２００について説明すると、ＳＢＣ２１１は、衛星の電波到達範囲内の複数の無線電話２２０ａ〜２２０ｃに無線通信を送信するように構成されている。具体的には、ＳＢＣ２１１は、ダウンリンク周波数ｆD1を用いて、無線電話２２０ａに通信を送信するように構成されている。また、ＳＢＣ２１１は、衛星アップリンク周波数ｆU1を通じて、無線電話２２０ａからの無線通信を受信するようにも構成されている。無線電話２２０ａは、ダウンリンク周波数ｆ’D1及び衛星アップリンク周波数ｆ’U1を通じてＡＴＣ２４０と通信するように構成されている。周波数ｆD1、ｆU1、ｆ’D1及びｆ’U1は、図１に示すように、該第１の衛星オペレータに割当てられているスペクトルの部分１００ａ〜１００ｃに含まれている。また、他の無線電話２２０ｂ、２２０ｃも、周波数ｆD1、ｆU1、ｆ’D1及びｆ’U1を用いて、ＳＢＣ２１１と通信することも（または、通信するように選択的に構成することも）できることは理解される。無線電話２２０ａ〜２２０ｃの各々が、本明細書に記載されているように、無線電話のファミリーを代表することができることは理解される。
【００５６】
無線電話２２０ｂは、アップリンク周波数ｆU1及びダウンリンク周波数ｆD1を通じて、ＡＴＣ２４０と通信することができる。従って、図２に示すように、無線電話２２０ａは、ＳＢＣ２１１と通信することができ、無線電話２２０ｂは、ＡＴＣ２４０と通信することができる。本発明によるいくつかの実施形態において、無線電話２２０ｂは、上記第１の衛星オペレータに割当てられたアップリンク及びダウンリンク周波数を用いてＳＢＣ２１１と通信することもできる。
【００５７】
図２にさらに示すように、本発明によるいくつかの実施形態において、無線電話２２０ｃは、図１における、上記第２の衛星オペレータに割当てられたスペクトルの部分１０５ａ、１０５ｂに含まれているダウンリンク／アップリンク周波数ｆD2及びｆU2を通じてＳＢＣ２１１と通信することができる。無線電話２２０ｃは、第２の衛星オペレータに割当てられたスペクトルの部分１０５ａ、１０５ｂに含まれている周波数ｆ”D2及びｆ”U2を用いてＡＴＣ２４０と通信することもできる。
【００５８】
本発明によるいくつかの実施形態において、無線電話２２０ｃを、周波数ｆ”D2及びｆ”U2を用いて（または、ｆ”D2及びｆ”U2以外の周波数を用いて）ＡＴＣ２４０と通信することなく、周波数ｆ’D2及びｆ’U2を用いてＳＢＣ２１１と通信するように構成することができることは理解される。本発明の他の実施形態においては、無線電話２２０ｃは、周波数ｆ”D2及びｆ”U2を用いてＡＴＣ２４０と通信するように構成し、かつ周波数ｆ’D2及びｆ’U2を用いて（または、ｆ’D2及びｆ’U2以外の周波数を用いて）ＳＢＣ２１１と通信しないように構成することができる。
【００５９】
セルラー衛星無線電話システム２００は、ＡＴＮ２３５、ゲートウェイ２６０、ＳＢＣ２１１内に含めることができ、および／またはＡＴＮ２３５、ゲートウェイ２６０及びＳＢＣ２１１の間に分散させることができる、または独立型のシステム要素とすることができる総計放射パワースペクトル密度コントローラ（すなわち、総計干渉コントローラ）も含むことができる。該総計放射パワースペクトル密度コントローラは、ＡＴＣ２４０および／または無線端末２２０ａ〜２２０ｃの動作を管理して、システム２０５の動作に干渉する可能性があるシステム２００によって生成される総計放射パワースペクトル密度（Ｐｏｗｅｒ  Ｓｐｅｃｔｒａｌ  Ｄｅｎｓｉｔｙ；ＰＳＤ）を制御するように構成することができる。具体的には、該総計放射パワースペクトル密度コントローラは、例えば、図２に示す衛星の電波到達範囲内で作動するユーザの数および／またはその電磁放射を管理して、システム２００の総計放射パワースペクトル密度を、指定された閾値以下に維持することができる。従って、該総計放射パワースペクトル密度コントローラは、上記第１および／または第２の衛星オペレータに割当てられたアップリンクおよび／またはダウンリンク周波数を用いて、無線端末２２０ａ〜２２０ｃの動作を制御するように構成することができる。
【００６０】
図２に示すように、（該第１の衛星オペレータに割当てられた）アップリンク及びダウンリンク周波数を用いてＡＴＣ２４０と通信する無線端末２２０ａ及び２２０ｂは、ＳＢＣ２１０において、帯域外地上パワースペクトル密度干渉成分（ＰＳＤOOBT）を生成することができる。さらに、該第１の衛星オペレータに割当てられた周波数を用いる、ＳＢＣ２１１と無線端末２２０ａとの間の通信は、ＳＢＣ２１０において、帯域外宇宙ベースＰＳＤ干渉成分（ＰＳＤOOBSB）を生成することができる。従って、該総計放射パワースペクトル密度コントローラは、無線端末２２０ａ、２２０ｂの動作を管理して、ＳＢＣ２１０おける帯域外の地上および／または宇宙ベースのＰＳＤ干渉成分を所望のレベルに、または所望レベル以下に維持することができる。
【００６１】
該総計放射パワースペクトル密度コントローラ（「コントローラ」）は、例えば、図２に示す電波到達内で作動する無線端末の数を調節することにより、システム２００のコンポーネントによって生じるＳＢＣ２１０における干渉を管理することができる。例えば、ＣＤＭＡ方式においては、該コントローラは、地理的領域上での無線端末による使用に利用可能な符号の数を低減することができる。別法として、または上記と組み合わせて、該コントローラは、地理的領域上の少なくともいくつかの無線端末によって実現できるデータレートを調整してもよく、または、該無線端末の数を、異なる（例えば、より低い）ボコーダレートを用いて作動するように構成してもよい。調整されたパラメータは、ＳＢＣ２１０に到達する総計ＰＳＤを、例えば、ＳＢＣ２１０における総計ＰＳＤが、例えば、６％ΔＴ／Ｔより小さいかまたはほぼ等しい干渉レベルに維持されるように低減できるようにする。他の種類のエアインタフェースを用いたシステムにおいては、該コントローラは、上記の代わりにまたは上記に加えて、他のパラメータを調整してもよい。例えば、ＧＳＭ方式においては、該コントローラは、少なくともいくつかの無線端末が、送受信してＳＢＣ２１０におけるＰＳＤを管理するのに用いることができるタイムスロットの数を変えてもよい。
【００６２】
総計放射パワースペクトル密度を、閾値以下のレベルに維持するのに用いられる技術は、例えば、２００５年１２月１５日に出願された「Ａｇｇｒｅｇａｔｅ  Ｒａｄｉａｔｅｄ  Ｐｏｗｅｒ  Ｃｏｎｔｒｏｌ  ｆｏｒ  Ｍｕｌｔｉ−Ｂａｎｄ／Ｍｕｌｔｉ−Ｍｏｄｅ  Ｓａｔｅｌｌｉｔｅ  Ｒａｄｉｏｔｅｌｅｐｈｏｎｅ  Ｃｏｍｍｕｎｉｃａｔｉｏｎｓ  Ｓｙｓｔｅｍｓ  ａｎｄ  Ｍｅｔｈｏｄｓ」というタイトルの米国特許出願番号第１１／３００，８６８号に詳細に記載されており、該明細書の全体は本明細書に参照によって組み込まれる。
【００６３】
第１の衛星オペレータに割当てられたアップリンク／ダウンリンク周波数を用いる通信によって生成される帯域外干渉成分を管理することに加えて、上記総計放射パワースペクトル密度コントローラは、上記第２の衛星オペレータに割当てられたスペクトルの使用によって生成される帯域内干渉成分に関する制御も維持する。具体的には、無線電話２２０ｃによる、該第２の衛星オペレータに割当てられたアップリンク及びダウンリンク周波数の使用は、ＳＢＣ２１０において、帯域内の地上及び宇宙ベースのＰＳＤ干渉成分（ＰＳＤIBT及びＰＳＤIBSB）を生成することができる。例えば、アップリンクおよび／またはダウンリンク周波数ｆ’U2及びｆ’D2の使用は、ＳＢＣ２１０において、帯域内宇宙ベースのＰＳＤ干渉成分を生成することができる。同様に、アップリンクおよび／またはダウンリンク周波数ｆ”U2及びｆ”D2の使用は、ＳＢＣ２１０において、帯域内地上ＰＳＤ干渉成分を生成することができる。
【００６４】
従って、上記総計放射パワースペクトル密度コントローラは、無線端末２２０ｃの構成及び動作も管理する。すなわち、該コントローラは、該第１の衛星プロバイダに割当てられたスペクトルの使用によって生成される干渉成分ならびに該第２の衛星オペレータに割当てられたスペクトルの使用によって生成される干渉成分を含む所望の総計放射パワースペクトル密度を維持する。具体的には、該総計放射パワースペクトル密度コントローラは、帯域内地上及び宇宙ベースのＰＳＤによって生成される干渉成分と、帯域外地上及び宇宙ベースのＰＳＤ干渉成分とを結合して、ＳＢＣ２１０における所望の全体的な総計放射パワースペクトル密度を生成することができる。
【００６５】
ＳＢＣ２１０における全体的な総計放射パワースペクトル密度を管理するために、上記コントローラは、無線端末２２０ｃの数を設定して、上記第１の衛星オペレータに割当てられたスペクトルを用いて通信することができる。帯域内地上及び宇宙ベースのＰＳＤ干渉成分を低減するために、該コントローラは、無線端末２２０ｃによって用いられるパラメータを調整して、ＳＢＣ２１１及びＡＴＣ２４０と通信することができる。例えば、いくつかの実施形態において、該コントローラは、該第２の衛星オペレータに割当てられたスペクトルを用いて通信するように構成されたユーザの数を低減することができる。本発明による他の実施形態において、該コントローラは、無線端末２２０ｃに関連するページングサービス等の低データレートサービスのために無線端末２２０ｃおよび／またはＳＢＣ２１１を構成することができる。本発明によるまた他の実施形態においては、該コントローラは、４ｋｂｐｓ（対１６ｋｂｐｓ）等の比較的低いボコーダレートを用いるように無線端末２２０ｃを構成することができる。
【００６６】
本発明の実施形態によるこれらのアプローチのうちのいずれかにおいて、上記総計放射パワースペクトル密度コントローラは、ＳＢＣ２１０におけるＰＳＤが、干渉に対する所定の閾値を超えないように、帯域内地上及び宇宙ベースのＰＳＤ干渉成分に影響を与える可能性があることは理解される。
【００６７】
上述したように、上記第１の衛星オペレータに割当てられたスペクトルと共に、上記第２の衛星オペレータに割当てられたスペクトルの少なくとも一部を用いることは、該第１の衛星オペレータによる通信のためのスペクトルの連続帯域を生成することができる。本発明によるいくつかの実施形態において、上記コントローラは、ＡＴＣ２４０との通信のための第２の衛星プロバイダ（すなわち、第２のシステム２０５）に割当てられたスペクトルの一部を用いて作動するように、無線端末２２０ｃの数を設定することができる。該コントローラはさらに、該第２の衛星オペレータに割当てられたスペクトルの一部も用いてＳＢＣ２１１と通信して、ＳＢＣ２１１に比較的低いデータレートの通信を提供し、および該ＳＢＣから該通信を提供されるように、無線端末２２０ｃを構成することができる。
【００６８】
このアプローチは、ＡＴＣ２４０と通信することによって生成される帯域内干渉を、上記第２の衛星プロバイダに割当てられたスペクトルを用いてＳＢＣ２１１と通信することによって生成される干渉と比較して低くなるように、多数の無線端末２２０ｃが、該第２の衛星オペレータに割当てられたスペクトルを用いて作動できるようにすることができる。従って、上記総計放射パワースペクトル密度コントローラは、（例えば、サービスを提供することができる無線端末２２０ｃの数の増加に関して）利益をもたらすことができると共に、ＳＢＣ２１０における総計放射ＰＳＤを、干渉のための指定された閾値に、または該閾値以下に維持することができる。このことは、本発明によるいくつかの実施形態において、該総計放射パワースペクトル密度コントローラが、これらの無線端末の帯域外動作によって生成される干渉成分を低減するように、無線端末２２０ａ及び２２０ｂを構成することができても、達成することができる。そのため、該第２の衛星オペレータに割当てられたスペクトルのうちの少なくともいくつかは、該第１の衛星オペレータが使用することができ、同時に、該第２の衛星オペレータのスペクトルの少なくとも一部を用いて、ＳＰＣ２１１ではなく、ＡＴＣ２４０と通信するように、無線端末２２０ｃを優先的に構成することにより、干渉を指定された閾値に、または該閾値以下に維持することができる。
【００６９】
図３は、所定の閾値よりも小さい総計放射パワースペクトル密度で、別の衛星オペレータに割当てられたスペクトルを用いて、宇宙ベースのコンポーネントおよび／または補助地上コンポーネント（ＡＴＣ）と通信するのに用いることができる無線電話のブロック図である。本発明によるいくつかの実施形態において、無線電話３２０は、実質的に同じ帯域及び実質的に同じエアインタフェースを用いる補助地上コンポーネント及び宇宙ベースのコンポーネントを含む本発明のいくつかの実施形態による衛星無線電話システムと共に使用することができる。別の衛星プロバイダに割当てられたスペクトルを使用する能力は、例えば、スペクトル接近性および／またはサポートすることができるユーザ数を増加させることができる。
【００７０】
図３について説明すると、ローパスフィルタ３２２、アップ及びダウンコンバータ３２４ａ、３２４ｂ、局部発振器（Ｌｏｃａｌ  Ｏｓｃｉｌｌａｔｏｒｓ；ＬＯ）３２６、低雑音増幅器（Ｌｏｗ  Ｎｏｉｓｅ  Ａｍｐｌｉｆｉｅｒ；ＬＮＡ）３２８、電力増幅器（Ｐｏｗｅｒ  Ａｍｐｌｉｆｉｅｒ；ＰＡ）３３２、バンドパスフィルタ３３４及びアンテナ３３６を含む単一の無線周波（Ｒａｄｉｏ  Ｆｒｅｑｕｅｎｃｙ；ＲＦ）回路を用いることができる。アナログ・ディジタルコンバータ（Ａ／Ｄ）３４４、ディジタル・アナログコンバータ（Ｄ／Ａ）３４６及びマンマシンインタフェース（ＭＭＩ）３４８を含む単一のベースバンドプロセッサ３４２を用いることができる。オプションのブルートゥースインタフェース３５２を設けてもよい。特定用途向け集積回路（ＡＳＩＣ）３５４は、その上に、ランダムアクセスメモリ（ＲＡＭ）３５６、リードオンリーメモリ（ＲＯＭ）３５８、マイクロプロセッサ（μＰ）３６２、補助地上通信のためのロジック（ｌｏｇｉｃ  ｆｏｒ  ａｎｃｉｌｌａｒｙ  ｔｅｒｒｅｓｔｒｉａｌ  ｃｏｍｍｕｎｉｃａｔｉｏｎｓ；ＡＴＣ  Ｌｏｇｉｃ）３６４及び宇宙ベースの通信のためのロジック（宇宙セグメントロジック（Ｓｐａｃｅ  Ｓｅｇｍｅｎｔ  ＬｏｇｉｃまたはＳＳ  Ｌｏｇｉｃ）３６６を含んでもよい。ＳＳ  Ｌｏｇｉｃ３６６は、衛星固有のボコーダ、衛星順方向誤り訂正符号化スキーム、衛星固有のインタリーバ等の、セルラー、ＡＴＣまたはＰＣＳの要件に加えて、衛星固有の要件に適応するのに用いることができる。しかし、本発明のいくつかの実施形態によれば、この追加されたゲートカウントは、ＡＳＩＣ３５４のコストを実質的に増加させない可能性がある。
【００７１】
上述したように、本発明のいくつかの実施形態は、システム間干渉レベルが、例えば、所与の雑音温度増加（すなわち、ΔＴ／Ｔ）等の所定の閾値を超えないならば、別の衛星オペレータに属するスペクトルを所与のオペレータが再利用することができるという認識に起因している。従って、例えば、所与のオペレータのスペクトルとインタリーブされる別のオペレータのスペクトルは、該システム間干渉レベルが、所与の閾値を超えないように制御されるという条件で、該所与のオペレータが地上でのおよび／または宇宙ベースの通信に再利用することができる。従って、該他のオペレータの宇宙セグメントの許容可能なシステム間干渉レベルと比較して、低パワースペクトル密度通信を、所与のオペレータが、該他のオペレータのスペクトルの少なくとも一部で実現することができる。
【００７２】
本発明のいくつかの実施形態によれば、該所与のオペレータは、モバイル衛星ベンチャー（Ｍｏｂｉｌｅ  Ｓａｔｅｌｌｉｔｅ  Ｖｅｎｔｕｒｅｓ；ＭＳＶ）、ＬＰとすることができ、該他のオペレータは、インマルサット、グローバルスター、イリジウム、ＸＭ衛星ラジオ、シリウス衛星ラジオ、テレスターおよび／またはＩＣＯとすることができる。本明細書に記載されている原理、システムおよび／または方法が、第１及び第２の衛星システム／オペレータに関連する特定の例示的な実施形態との関連で説明されているが、当業者には、本発明の原理、システムおよび／または方法を、どのような第１及び第２のシステムにも適用することができることが正しく理解される。例えば、本発明によるいくつかの実施形態において、該第１のシステム／オペレータは、衛星システム／オペレータとすることができ、また、該第２のシステム／オペレータは、セルラー／ＰＣＳシステム／オペレータとすることができる。他の実施形態において、該第１のシステム／オペレータは、セルラー／ＰＣＳシステム／オペレータとすることができ、該第２のシステム／オペレータは、セルラー／ＰＣＳシステム／オペレータ等とすることができる。
【００７３】
本明細書においては、本発明の実施形態が開示されており、特定の用語が用いられているが、それらの用語は、一般的かつ説明的意味でのみ用いられており、また、限定のためのものではなく、本発明の範囲は、以下の特許請求の範囲に記載されている。
【図面の簡単な説明】
【００７４】
【図１】第１及び第２の衛星オペレータに割当てられたスペクトルの概略図である。
【図２】本発明のいくつかの実施形態による、第２の衛星オペレータに割当てられたスペクトルを用いて、第１の衛星オペレータのセルラー衛星無線電話システムの宇宙ベースのコンポーネントおよび／または地上のコンポーネントと通信する該セルラー衛星無線電話システムの概略図である。
【図３】本発明のいくつかの実施形態による宇宙ベースのコンポーネントおよび／または地上のコンポーネントと通信するように構成された無線電話を示すブロック図である。
【図１】
2008533815.tif 000003
【図２】
2008533815.tif 000004
【図３】
2008533815.tif 000005
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
通信を実行する方法であって、
所定の閾値より小さいかまたは実質的に等しい、第２のシステムおよび／またはオペレータの宇宙ベースのコンポーネントにおける総計干渉レベルで、前記第２のシステムおよび／またはオペレータに割当てられたスペクトルを用いて情報を送信および／または受信する第１のシステムおよび／またはオペレータの少なくとも１つの宇宙ベースのおよび／または地上のコンポーネントを備え、送信および／または受信することが、
前記第２のシステムおよび／またはオペレータに割当てられたスペクトルの一部を、前記第１のシステムおよび／またはオペレータによる通信に用いられるように選択することと、
前記第２のシステムおよび／またはオペレータに割当てられたスペクトルの一部を用いて、前記第１のシステムおよび／またはオペレータによって情報を送信および／または受信することと、
を備える方法。
【請求項２】
前記第２のシステムおよび／またはオペレータに割当てられたスペクトルから選択された前記一部は、ページング通信および／または低データレート通信に対して割当てられ、前記第１のシステムおよび／またはオペレータに割当てられたスペクトルは、高データレート通信に対して割当てられる、請求項１に記載の方法。
【請求項３】
前記所定の閾値は、６％ΔＴ／Ｔより小さいかまたは実質的に等しい、請求項１に記載の方法。
【請求項４】
前記所定の閾値は、国際電気通信連合によって指定された干渉閾値である、請求項１に記載の方法。
【請求項５】
前記第２のシステムおよび／またはオペレータに割当てられたスペクトルの一部を用いて、前記第１のシステムおよび／またはオペレータによる情報の送信および／または受信に関連する少なくとも１つのパラメータを調整して、前記第２のシステムおよび／またはオペレータの宇宙ベースのコンポーネントにおける干渉レベルを、前記所定の閾値より小さいかまたは実質的に等しくなるように制御することをさらに備える、請求項１に記載の方法。
【請求項６】
前記少なくとも１つのパラメータを調整することが、ユーザの数を制限すること、通信のためのデータレートを割当てることおよび／または通信のためのボコーダレートを割当てることを備える、請求項５に記載の方法。
【請求項７】
前記第２のシステムおよび／またはオペレータに割当てられたスペクトルの一部を用いて情報を送信および／または受信する、前記第１のシステムおよび／またはオペレータの少なくとも１つの地上コンポーネントをさらに備える、請求項２に記載の方法。
【請求項８】
送信および／または受信することが、前記第２のシステムおよび／またはオペレータに割当てられたスペクトルの一部と、前記第１のシステムおよび／またはオペレータに割当てられたスペクトルの一部とを含む、前記第１のシステムおよび／またはオペレータによる通信のためのスペクトルの帯域を備える、請求項７に記載の方法。
【請求項９】
送信および／または受信することが、前記ページング、前記通信のためのデータレート、前記通信のためのボコーダレートおよび／または前記低データレート通信に関連するデータレートと比較して大きいデータレートを備える、請求項８に記載の方法。
【請求項１０】
送信および／または受信することが、
前記第２のシステムおよび／またはオペレータに割当てられたスペクトルを用いて、前記第１のシステムおよび／またはオペレータの前記少なくとも１つの宇宙ベースのおよび／または地上のコンポーネントと通信して、総計帯域内干渉レベルを生成するように、複数の第１の無線端末を構成すること、および／または、
前記第１のシステムおよび／またはオペレータに割当てられたスペクトルを用いて、前記少なくとも１つの宇宙ベースのおよび／または地上のコンポーネントと通信して、総計帯域外干渉レベルを生成するように、複数の第２の無線端末を構成すること
を備え、前記帯域内干渉レベルと帯域外干渉レベルの組合せが、前記所定の閾値より小さいかまたは実質的に等しい、請求項１に記載の方法。
【請求項１１】
通信を実行する方法であって、
第２のシステムおよび／またはオペレータに割当てられたスペクトルを用いて、第１のシステムおよび／またはオペレータに関連する情報を受信するように、前記第１のシステムおよび／またはオペレータの宇宙ベースのコンポーネントを構成することを備える方法。
【請求項１２】
通信を実行する方法であって、
第２のシステムおよび／またはオペレータに割当てられたスペクトルを用いて情報を選択的に送信および／または受信し、前記第２のシステムおよび／またはオペレータの宇宙ベースのコンポーネントにおいて、帯域内干渉成分を生成する、第１のシステムおよび／またはオペレータの宇宙ベースのコンポーネントおよび／または、
前記第２のシステムおよび／またはオペレータに割当てられたスペクトルを用いて情報を選択的に送信および／または受信し、前記第２のシステムおよび／またはオペレータの前記宇宙ベースのコンポーネントにおいて、帯域内地上干渉成分を生成する、前記第１のシステムおよび／またはオペレータの少なくとも１つの地上コンポーネントと、
を備える方法。
【請求項１３】
前記第２のシステムおよび／またはオペレータの宇宙ベースのコンポーネントにおける前記帯域内宇宙ベースの干渉成分及び前記帯域内地上干渉成分は、６％ΔＴ／Ｔより小さいかまたは実質的に等しい干渉レベルを生成する、請求項１２に記載の方法。
【請求項１４】
情報を送信および／または受信する第１のシステムおよび／またはオペレータの宇宙ベースのコンポーネントは、比較的少数のユーザと通信すること、比較的低いデータレート通信を用いて通信することおよび／または比較的低いボコーダ通信を用いて通信することを備える、請求項１２に記載の方法。
【請求項１５】
第１のシステムおよび／またはオペレータの補助的地上ネットワーク（ＡＴＮ）であって、
第２のシステムおよび／またはオペレータに割当てられたスペクトルを用いて、前記第１のシステムおよび／またはオペレータの宇宙ベースの通信および／または地上の通信を制御して、前記第２のシステムおよび／またはオペレータの宇宙ベースのコンポーネントにおける総計干渉レベルを、所定の閾値よりも小さいかまたは実質的に等しいレベルに維持する総計干渉コントローラを備え、前記総計干渉コントローラはさらに、前記第１のシステムおよび／またはオペレータによって用いられるように前記第２のシステムおよび／またはオペレータに割当てられたスペクトルの少なくとも一部を選択するように構成されており、また、前記第１のシステムおよび／またはオペレータの無線端末を、前記第２のシステムおよび／またはオペレータに割当てられた前記スペクトルの少なくとも一部を用いて情報を送信および／または受信するように構成する、ＡＴＮ。
【請求項１６】
前記所定の閾値は、前記第２のシステムおよび／またはオペレータの宇宙ベースのコンポーネントにおいて、６％ΔＴ／Ｔより小さいかまたは実質的に等しい、請求項１５に記載のＡＴＮ。
【請求項１７】
前記所定の閾値は、国際電気通信連合によって指定された干渉閾値である、請求項１５に記載のＡＴＮ。
【請求項１８】
前記総計干渉コントローラはさらに、少なくとも１つの無線端末に関連する少なくとも１つのパラメータを調整して、前記第２のシステムおよび／またはオペレータの宇宙ベースのコンポーネントにおける総計干渉を、前記所定の閾値より小さいかまたは実質的に等しく維持するように構成されている、請求項１５に記載のＡＴＮ。
【請求項１９】
少なくとも１つのパラメータを調整することは、無線端末の数を制限すること、データモードを割当てることおよび／またはボコーダモードを割当てることを備える、請求項１８に記載のＡＴＮ。
【請求項２０】
前記第２のシステムおよび／またはオペレータに割当てられたスペクトルを用いて、前記第１のシステムおよび／またはオペレータの前記宇宙ベースのコンポーネントおよび／または前記ＡＴＮと通信して、総計帯域内干渉成分を生成するように複数の第１の無線端末を構成し、および／または前記第１のシステムおよび／またはオペレータに割当てられたスペクトルを用いて、前記宇宙ベースのコンポーネントおよび／または前記ＡＴＮと通信して、総計帯域外干渉成分を生成するように複数の第２の無線端末を構成するコントローラをさらに備え、前記第２のシステムおよび／またはオペレータの宇宙ベースのコンポーネントにおける、前記総計帯域内干渉成分と前記総計帯域外干渉成分の組合せが、前記所定の閾値より小さいかまたは実質的に等しい、請求項１５に記載のＡＴＮ。
【請求項２１】
第２の無線システムの要素への情報の送信および／または前記要素からの情報の受信に用いられる第１の無線システムに割当てられたスペクトルの一部を選択し、または前記一部を除外して、所定の閾値よりも小さいかまたは実質的に等しい、前記第１の無線システムにおける干渉のレベルを維持するように構成された無線端末。
【国際調査報告】
2008533815.tif 000006
2008533815.tif 000007
2008533815.tif 000008